(57)【特許請求の範囲】
【請求項１】
全体形状が略筒状であり、該筒状内に、十分な強度を有する金属製の球（１）を筒状内壁との間に液密状態を維持しながら上下方向の摺動および回転を可能な状態で収容したカップリング（２）の上部には、上記球（１）の上半球面に沿う環状の絞り部（３）と、該絞り部（３）に囲まれ上記球（１）の一部が突出し得る大きさの円孔（４）が形成され、このカップリング（２）の上記絞り部（３）を上板（５）の開口（６）の縁（７）に固定することにより多数のカップリング（２）が上板（５）に取り付けられ、さらに、これら多数のカップリング（２）の下端（８）は内部に圧油流路（９）を有する底板（１０）に液密に固定され上記圧油流路（９）と各カップリング（２）内の球（１）の下側室（１１）が連通孔（１２）により連通していると共に前記上板（５）と底板（１０）の各上面間の距離が球（１）の直径より長く形成されていることを特徴とするプレス用金型をプレスへ出し入れするための支持台
【発明の詳細な説明】
【０００１】
【発明の属する技術分野】
本発明は、プレス用金型をプレスへ出し入れするための支持台に関する。
【０００２】
【従来の技術】
プレスは、その駆動部が材料処理部の上方にあるため、材料処理部に金型を据え付ける場合、クレーンで直接その据え付け位置まで搬送することができない。そこで、ハンドリフトやフォークリフトのテーブルに乗せてプレスの材料処理部横まで運び、そこから人力で材料処理部まで押し込んでいる。
【０００３】
しかしながら重量の大きい金型はこの押し込み作業が容易ではない。金型を取り外す場合の取り出し作業も同様である。テーブル面を滑り易くしておけば金型の押し込みおよび取り出しが容易であるが、ハンドリフトやフォークリフトにクレーンから移し換える時や、それらがリフトでの搬送中に予期しない滑りでテーブルから落下する危険がある。
【０００４】
【発明が解決しようとする課題】
本発明は、ハンドリフトやフォークリフトのテーブルとして、またはテーブルの上に取り付けて使用できる支持台を、その上に載置される金型が滑りやすい状態と滑りにくい状態の２つの状態に必要に応じて切り替えることができるようにすることを目的としている。
【０００５】
【課題を解決するための手段】
上記目的を達成するために、本発明の支持台は、金属製の球を内壁との間に液密状態で収容した全体形状が筒状のカップリングの上部に上記球の上半球面に沿う環状の絞り部と該絞り部に囲まれ上記球の一部が突出し得る大きさの円孔を形成し、このカップリングの多数をその絞り部で上板の多数の開口のそれぞれの縁に取り付け、さらに上記各カップリングの下端を内部に圧油流路を有する底板に液密に固定し、上記圧油流路と各カップリング内の球の下側室を連通孔で連通させると共に上板と底板の各上面間の距離を球の直径より長く形成した。
【０００６】
【作用】
上記のように構成された支持台は、球の下側室に油圧が加えられていないとき、球は上板の開口内に完全に没し、支持台上に載置される金型は上板の上面に直接乗るから、金型と上板の摩擦係数に応じた滑り阻止力が生じる。球の下側室に油圧が加えられると、球は上昇して球の一部が上板の開口から突出し、支持台上に載置された金型は、油圧で持ち上げられ底板から離れて回転し易くなった球で支えられるから、金型の横移動が容易になる。
【０００７】
【発明の実施の形態】
発明の実施の形態を実施例にもとづき図面を参照して説明する。
図１は、本発明の支持台１３を示し、その左半部では、油圧の上昇により球１の一部が上板５の上面より上方に突出した状態を示し、右半部には、油圧の降下により球１が上板５の上面以下に引っ込んだ状態を示す。各カップリング２の球１の下側室１１は各連通孔１２を介して共通の圧油流路９に連通しているから、同一の支持台１３において図１の如く球１の２つの状態が同時に起こることは、実際にはない。説明の都合上、異なる状態の球１を同じ支持台で示した。
【０００８】
カップリング２は、ほぼ筒状であり、この筒状内に、球１を収容している。球１はプレス用金型の重量を支えることができるように十分な強度を有する金属製とする。カップリング２の上部には、球１の上半球面に沿う絞り部３と、上記球１の一部が突出し得る大きさの円孔４が形成される。絞り部３はその上方から見た平面視において環状であり、円孔４はこの環状の絞り部３に囲まれている。球１はカップリング２の筒状内壁との間に圧油を漏らさない液密状態を維持しながら上下方向に摺動できると共に、絞り部３に密着する上昇位置にある場合も含めて回転可能である。カップリング２の絞り部３は上板５の開口６の縁７に固定される。その場合、絞り部先端は上板の上面より上に出ないようにする。同じ高さでもよいが、上板上面よりやや低くすれば、プレス金型の重量がカップリング２に直接掛かる恐れがない。
【０００９】
カップリング２の下端は底板１０に固定される。その場合、その固定部から圧油が漏れないよう液密に固定する。底板１０には圧油流路９が設けられており、圧油流路９は連通孔１２でカップリング２内の球１の下側室１１と連通する。圧油流路９へは、図示しないポンプから圧油が供給され、また、該ポンプに戻されるよう制御される。底板１０に圧油流路を設けるには、圧油流路９の配置に合わせた断面半円溝を穿った２枚の板の一方の半円溝の所定位置に連通孔１２を設けて、２枚の板の半円溝が互いに合致するようにそれら２枚の板を重ねて一体化するなどによって行なうことができる。
【００１０】
上板５と底板１０は、前述の如くカップリング２を介して接続されるほか、支持台１３としての剛性を高めるため、図１に示す如く側枠１４や間隔保持具１５によっても接続され得る。図２は本発明の支持台を示すが、側枠や間隔保持具は、図示を省略してある。上板５と底板１０の間隔は、上板および底板の各上面間の距離が球の直径以上、好適には球の直径より数ｍｍ以上長くなるようにする。上記距離が球の直径より数ｍｍ以上長いと、油圧が降下したとき、球の頂部は上板の上面レベルより数ｍｍ以上下方まで引っ込み、球が金型の荷重を受けなくなることを確実にする。以上述べたような支持台１３は、ハンドリフトやフォークリフトのような荷役運搬具１６のテーブルとして、またはテーブルの上に取り付けて、図３のように使用される。荷役運搬具１６に設置した支持台１３の高さをプレス１７上における金型１８の挿入位置に合わせて横付けし、支持台の圧油流路９を介して各球１の下側室に油圧を付加すれば球１は上昇してカップリング２の円孔４で規制される高さ（通常、円孔４の５〜１０ｍｍ上方）まで球頂部が突出し、金型を上板上面から浮かせて球のみで支持する。球は、この状態で容易に回転可能であり、金型１８は人力で容易に支持台１３からプレス１７へ移すことができる。
【００１１】
【発明の効果】
本発明は上記の構成であるから、球の下側室の油圧の制御という、簡単な操作で、支持台上の金型の移動に対する抵抗が大きく異なるすべり摩擦ところがり摩擦を、必要に応じて切り換え選択できるので、クレーンが使えないプレスの材料処理部にハンドリフトやフォークリフトで金型を据え付ける際に、作業の容易性と安全性が保証される。また、本発明は、球を油圧で上下動させるものであるから、球の回転抵抗を小さく保つための潤滑が自動的に行なわれ保守作業を簡略にする。
【図面の簡単な説明】
【図  １】本発明の支持台の要部を示す正断面図である。
【図  ２】本発明の支持台の斜視図である。
【図  ３】本発明の支持台の使用例を示す側面図である。
【符号の説明】
１  球
２  カップリング
３  絞り部
４  円孔
５  上板
６  開口
７  縁
８  下端
９  圧油流路
１０  底板
１１  下側室
１２  連通孔
１３  支持台
１４  側枠
１５  間隔保持具
【図１】
0003588753.tif 000002
【図２】
0003588753.tif 000003
【図３】
0003588753.tif 000004